(57)【要約】【課題】面付け工程において、刷版情報を作成するまでには多くの工程があり、工程の順番、各工程のデータの設定には、経験と知識が必要であり、熟練の作業者でも誤作業が生じ易い。【解決手段】一つの操作パネルで、面付け工程の各工程を行い、すべての工程を一覧表示し、工程の進捗状況を明示し、ページ面付けする方法。【選択図】  図１
2005250637.tif 000002
【特許請求の範囲】
【請求項１】
印刷物のページデータを登録する工程と、印刷物の綴じる方法（「平綴じ」または「中綴じ」）や綴じる位置（「左綴じ」または「右綴じ」）などのスタイルを設定する工程と、版に割り振られるページの順番、各ページの天地などの複数ページ分のページ情報を面付けして一枚の版を作るために必要なデータが設定されている刷版フォーマットデータを選択する工程と、刷版情報の出力先や出力する版の範囲を設定する工程と、刷版フォーマットデータをもとに、ページデータを割り付けて版に必要な刷版情報を作成する刷版情報作成工程とを一つの操作パネル（ウィンドウ）で行うページ面付け方法。
【請求項２】
請求項１記載のページ面付け方法において、すべての工程の一覧を表示する手段と、現在の工程を表示する手段と、工程の後戻りを可能とする手段と、を具備することを特徴とするページ面付け方法。
【発明の詳細な説明】
【技術分野】
【０００１】
本発明は、印刷物の印刷に使用する複数ページをレイアウトして面付け刷版を作成するページ面付け方法に関する。
【背景技術】
【０００２】
雑誌、単行本などの印刷物（本）を製作する工程の中で、複数のページデータを面付けして刷版情報を作成するページ面付け工程は、ページ単位で作成されたページデータを用いて、用紙が折り畳まれたときに、正しい通しのページとなるように、刷版上の正しい位置に各ページデータをレイアウトする工程である。刷版に割り振られるページの順番、各ページの天地などの複数ページ分のページ情報を面付けして一枚の版を作るために必要なデータを入力し、刷版情報が作成される。
【０００３】
ページ面付け工程は、刷版情報を作成するまでに多くの工程が積み重ねられている。例えば、版に割り振られるページの順番、各ページの天地などの複数ページ分のページ情報を設定する工程、印刷物の綴じる方法（「平綴じ」または「中綴じ」）や綴じる位置（「左綴じ」または「右綴じ」）などのスタイルを設定する工程、印刷物のページデータを登録する工程、出力する版の選択や刷版情報の出力先または保存するファイル名などを設定する工程があり、作業者が各工程を選択して行う（例えば、特許文献１参照。）。
【特許文献１】特開平６−３８０２号公報
【発明の開示】
【発明が解決しようとする課題】
【０００４】
ところが、このページ面付け工程は、ページ面付けに必要な設定項目が多い。そのため、作業者の知識と時間と労力が必要とされる上、どの工程で何を作りどこに保存したのか、何が不足しているのか不明になることがあり、完全に誤作業を排除することができない。そこで本発明の目的は、ページ面付け工程において、多大な知識と時間と労力とを必要とせず、完全に誤作業を排除することにある。
【課題を解決するための手段】
【０００５】
上記の課題は、下記の本発明によって解決される。本発明の請求項１に係るページ面付け方法は、一つの操作パネル（ウィンドウ）上で、面付けに必要な情報を作業者へ問い合せ、作業者の回答を繰り返し、各工程を順番に誘導することにより、ページデータを面付けした刷版情報を作成することにある。
【０００６】
また本発明の請求項２に係るページ面付け方法は、面付けのすべての工程の一覧とその工程の進捗を示すことと、工程の後戻りを可能にして、ページデータを面付けした刷版情報を作成することにある。
【発明の効果】
【０００７】
本発明によれば、面付けのすべての工程の一覧とその工程の進捗を作業者に表示し、各工程の設定を誘導するため、面付けの知識が不要な上、誤作業を排除することができる。
【発明を実施するための最良の形態】
【０００８】
つぎに、本発明を実施するための最良の形態を説明する。本発明の面付け方法における工程の概要を図２に示す。面付け方法は、複雑な面付けを除けば簡潔な工程に集約できる。
【０００９】
最初に、図２に基づいて本発明の面付け方法の工程の概要を説明する。図２の印刷物のページデータを登録する工程は、ページデータを登録することより、ページデータのページ情報（ページ数、ページサイズなど）を得られる。複数のページデータや白紙ページも登録することができる。また、ページデータの登録の順番により、印刷物の通し順番が決定されるが、ページデータの登録後、登録されたページデータの順番を変更することもできる。
【００１０】
図２の印刷物のスタイル設定工程は、印刷物の綴じる方法（「平綴じ」または「中綴じ」）や綴じる位置（「左綴じ」または「右綴じ」）を登録する。
【００１１】
図２の刷版レイアウト登録工程は、既存の刷版フォーマットデータを選択し登録する。刷版フォーマットデータは、版を作成するのに必要な各種データを入力することによって作成される。ここで各種データとは、製版の幅方向および回転方向、ページの幅寸法、ページの縦方向寸法、ページ間の幅方向の「どぶ」、ページ間の縦方向の「どぶ」、トップマージン、左側マージンなどがあり、その他にページ外の各種マーク、例えば折り丁などのレジスターマーク、背丁、背標などがあり、また、版に割り振られるページの順番、各ページの天地などがある。ここで、適当な刷版フォーマットデータがない場合は、別の工程で刷版フォーマットデータを作成する。
【００１２】
図２の出力設定工程は、出力する版（すべてまたは一部）、刷版情報の出力先または保存するファイル名などを設定する。
【００１３】
図２の出力工程は、面付けされた版の情報を表示し、今までの工程で登録されたデータをもとにページデータを割り付けて、刷版情報を作成し、出力設定工程で設定された情報に従って、刷版情報を出力または保存する。より具体的には、この工程で面付けファイルが作成され、出力先に転送されるかまたはファイルに保存される。
【００１４】
以上のすべての工程を図１に示すような一つの操作パネル（ウィンドウ）１上で行う。その操作パネル（ウィンドウ）１には、すべての工程を工程一覧２に表示し、現在の工程を表示する（図１では下線５で表示）。操作パネル（ウィンドウ）１上の工程設定部３には、工程一覧２の工程項目の下線が表示された工程の設定情報がある。また、操作パネル（ウィンドウ）１に次へボタン４ｃと戻るボタン４ｂを付加することにより、工程を先に進めたり、戻したりすることができる。操作パネル（ウィンドウ）１のキャンセルボタン４ａで面付け工程を途中で止めることができる。操作パネル（ウィンドウ）１の出力ボタン４ｄにより、面付け出力が実行される。設定されていない情報があって刷版情報が出力できないとき、操作パネル（ウィンドウ）１の出力ボタン４ｄは、選択できない状態にある。図１では前工程がないため、操作パネル（ウィンドウ）１上の戻るボタン４ｂは、選択できない状態にある。
【００１５】
つぎに、図１に基づいて本発明の面付け方法の操作パネル（ウィンドウ）１上の動作を説明する。面付け工程が実行されると、最初のページデータを登録する工程になり、操作パネル（ウィンドウ）１上の工程一覧２で、現在の工程を示す下線５はページデータに表示される。操作パネル（ウィンドウ）１上の工程設定部３には、ページデータ一覧１１が表示され、ページデータを登録することができる。追加ボタン１２を選択してページデータの名称（ファイル名）を登録する。ページデータ一覧１１には、登録されたページデータの名称（ファイル名）、そのページデータのページ数と先頭からの通し番号が表示される。白紙を追加ボタン１３を選択するとページデータ一覧１１に白紙のページが追加される。削除ボタン１４を選択すると、ページデータ一覧に登録されているページデータのうち選択されているページデータをページデータ一覧１１から削除することができる。前へボタン１５や後ろへボタン１６を選択するとページデータ一覧１１のページデータの順序が変わる。そのページデータの順序変更に伴い、ページデータに対応する先頭からの通し番号も変わる。図１は、４ページからなるページデータ「xxxxx.ps」を追加し、白紙のページを追加し、２７ページからなるページデータ「yyyyy.ps」を追加したものである。ページデータ一覧１１にページデータが追加されると、操作パネル（ウィンドウ）１上の次へボタン４ｃが選択可能になる。操作パネル（ウィンドウ）１上の次へボタン４ｃを選択すれば、操作パネル（ウィンドウ）１の表示内容が変わり、印刷物のスタイル設定工程になる。
【００１６】
印刷物のスタイル設定工程では、図３に示すように、操作パネル（ウィンドウ）１上の工程一覧２で、現在の工程を示す下線６はスタイル設定に表示され、図１のページデータの下線５は消える。また、操作パネル（ウィンドウ）１上の戻るボタン４ｂは選択可能になり、操作パネル（ウィンドウ）１上の戻るボタン４ｂを選択すると、前工程に戻りデータを変更することができる。操作パネル（ウィンドウ）１上の工程設定部３には、ページ数３１、仕上りサイズ３２、印刷物のスタイルである綴じる方法３３や綴じる位置３４が表示され、印刷物のスタイルを登録することができる。綴じる方法３３で「平綴じ」または「中綴じ」を選択する。綴じる位置３４で「左綴じ」または「右綴じ」を選択する。図３は、綴じる方法３３で「平綴じ」を選択し、綴じる位置３４で「左綴じ」を選択したものである。操作パネル（ウィンドウ）１上の次へボタン４ｃを選択すれば、操作パネル（ウィンドウ）１の表示内容が変わり、刷版レイアウト登録工程になる。
【００１７】
刷版レイアウト登録工程では、図４に示すように、操作パネル（ウィンドウ）１上の工程一覧２で、現在の工程を示す下線７は刷版レイアウトに表示され、図３のスタイル設定の下線６は消える。操作パネル（ウィンドウ）１上の工程設定部３には、レイアウトファイル４１が表示され、刷版フォーマットデータを登録することができる。選択ボタン４２を選択して、刷版フォーマットデータの名称（ファイル名）を登録する。刷版フォーマットデータが登録されると、レイアウト情報４３には、刷版サイズ、仕上りサイズや面付け数などの情報が表示される。また、ページの配置４４にページ配置情報が表示され、内容を確認することができる。図４は、刷版フォーマットデータ「xxxxx.Lay」を選択したものである。レイアウトファイル４１に刷版フォーマットデータが登録されると、操作パネル（ウィンドウ）１上の次へボタン４ｃが選択可能になる。操作パネル（ウィンドウ）１上の次へボタン４ｃを選択すれば、操作パネル（ウィンドウ）１の表示内容が変わり、出力設定工程になる。
【００１８】
出力設定工程では、図５に示すように、操作パネル（ウィンドウ）１上の工程一覧２で、現在の工程を示す下線８は出力設定に表示され、図４の刷版レイアウトの下線７は消える。操作パネル（ウィンドウ）１上の工程設定部３には、出力する版５１と出力先５４が表示される。出力する版５１の台の範囲５２と表裏５３で、出力する版の範囲を指定する。出力先５４で刷版情報の出力先（「プリンタ」または「ファイル」）を選択する。出力先５４で「プリンタ」を選択したときは、選択ボタン５６を選択してプリンタの名称を登録すると、プリンタ名が出力先名称５５に表示される。出力先５４で「ファイル」を選択したときは、選択ボタン５６を選択してファイルの名称を登録すると、ファイル名が出力先名称５５に表示される。図５は、台の範囲５２で「すべて」を選択、表裏で「表版と裏版」を選択、出力先５４で「プリンタ」を選択、出力先のプリンタ「xxxxxxxxxxxx」を選択したものである。これらの出力情報が登録されると、操作パネル（ウィンドウ）１上の次へボタン４ｃが選択可能になる。操作パネル（ウィンドウ）１上の次へボタン４ｃを選択すれば、操作パネル（ウィンドウ）１の表示内容が変わり、出力工程になる。
【００１９】
出力工程では、図６に示すように、操作パネル（ウィンドウ）１上の工程一覧２で、現在の工程を示す下線９は出力に表示され、図５の出力設定の下線８は消える。また、操作パネル（ウィンドウ）１上の出力ボタン４ｄは選択可能となり、操作パネル（ウィンドウ）１上の次へボタン４ｃは選択できなくなる。操作パネル（ウィンドウ）１上の工程設定部３には、プレビュー６１が表示され、各工程で登録されたデータをもとに面付けされた刷版の状態が表示され、データを確認することができる。図６では、プレビュー６１で「１台表」と「１台裏」の面付けされた刷版の状態が表示されている。残りの刷版「２台表」、「２台裏」、「３台表」、「３台裏」、「４台表」、「４台裏」は、プレビュー６１をスクロールすれば、すべて表示することができる。もし、表示された刷版を変更する場合、操作パネル（ウィンドウ）１上の戻るボタン４ｂを選択して、変更すべき工程まで戻り、データの変更を行う。表示された刷版で良ければ、操作パネル（ウィンドウ）１上の出力ボタン４ｄを選択すると、刷版情報が作成され出力される。より具体的には、この工程で刷版面付けファイルが作成されるのである。図６では、操作パネル（ウィンドウ）１上の出力ボタン４ｄを選択すると、全ページ数が３２ページで、１版に４ページを面付けし、出力する版は「すべて」「表版と裏版」であるから、プリンタへ８版出力される。
【００２０】
本発明のページ面付け方法における上述の処理の特徴点は、一つの操作パネル（ウィンドウ）で、面付けのすべての工程を表示し、各工程の順序を決め、その工程の進捗を明示し、工程の未処理およびデータ未入力を防止するものである。
【図面の簡単な説明】
【００２１】
【図１】本発明の面付け処理の操作パネルの一例（ページデータ）を示す絵図である。
【図２】面付け工程の各工程を示す絵図である。
【図３】本発明の面付け処理の操作パネルの一例（スタイル設定）を示す絵図である。
【図４】本発明の面付け処理の操作パネルの一例（刷版レイアウト）を示す絵図である。
【図５】本発明の面付け処理の操作パネルの一例（出力設定）を示す絵図である。
【図６】本発明の面付け処理の操作パネルの一例（出力）を示す絵図である。
【符号の説明】
【００２２】
１  操作パネル（ウィンドウ）
２  工程一覧
３  工程設定部
４  操作ボタン
４ａ  キャンセルボタン
４ｂ  戻るボタン
４ｃ  次へボタン
４ｄ  出力ボタン
５  ページデータの下線
６  スタイル設定の下線
７  刷版レイアウトの下線
８  出力設定の下線
９  出力の下線
１１  ページデータ一覧
１２  追加ボタン
１３  白紙を追加ボタン
１４  削除ボタン
１５  前へボタン
１６  後ろへボタン
３１  ページ数
３２  仕上りサイズ
３３  綴じる方法
３４  綴じる位置
４１  レイアウトファイル
４２  選択ボタン
４３  レイアウト情報
４４  ページの配置
５１  出力する版
５２  台の範囲
５３  表裏
５４  出力先
５５  出力先名称
５６  選択ボタン
６１  プレビュー
【図１】
2005250637.tif 000003
【図２】
2005250637.tif 000004
【図３】
2005250637.tif 000005
【図４】
2005250637.tif 000006
【図５】
2005250637.tif 000007
【図６】
2005250637.tif 000008